(57)【要約】      （修正有）【課題】キャップの異常音（鳴き）の発生を防止することが可能なスピーカー装置を提供する。【解決手段】スピーカー装置は、ボイスコイルボビン、振動板、補助キャップ及びキャップを含む振動系と磁気回路系とを備えている。スピーカー装置の構成において、振動板の内周縁部はボイスコイルボビンの外周壁の上端部近傍に取り付けられ、補助キャップの開口にはキャップの突起部が挿入されており、補助キャップはキャップに取り付けられている。キャップの各凸部は、対応する振動板の各凹部に固定されていると共に、キャップの爪部は振動板の突起部及び第３平坦部に固定されている。補助キャップはボイスコイルボビンの上面を覆う位置に配置され、外周縁部はボイスコイルボビンの外周壁の上端部近傍の接着剤に固定されている。この構成によれば、スピーカー装置の駆動時、キャップの振動する領域（面積）が小さくなり、キャップからの異常音（鳴き）を防止できる。【選択図】図１
2006157840.tif 000002
【特許請求の範囲】
【請求項１】
ボイスコイルボビンと、
前記ボイスコイルボビンに取り付けられた振動板と、
前記振動板の前方に且つ前記ボイスコイルボビンを覆う位置に配置されたキャップと、を備え、
前記振動板は、外周部近傍に第１固定部を有すると共に、中央部近傍に第２固定部を有しており、
前記キャップの外周部は前記振動板の外周部又は前記第１固定部に結合されていると共に、前記第２固定部に対向する前記キャップの部分は当該第２固定部に結合されていることを特徴とするスピーカー装置。
【請求項２】
前記第１固定部は前記キャップと対向する側に突起部を有すると共に、前記キャップの前記外周部は前記振動板と対向する側に鉤状の爪部を有し、
前記爪部と前記突起部とは接触した状態で結合されていることを特徴とする請求項１に記載のスピーカー装置。
【請求項３】
前記第２固定部は前記キャップ側に複数の凹部を有し、
前記第２固定部に対向する前記キャップの部分には複数の凸部が形成されており、
前記複数の凸部は、対応する前記複数の凹部に挿入されていると共に、前記複数の凸部と前記複数の凹部は結合されていることを特徴とする請求項１又は２に記載のスピーカー装置。
【請求項４】
前記ボイスコイルボビンと前記キャップとの間には補助キャップが設けられており、
当該補助キャップは前記キャップに結合されていると共に、当該補助キャップの外周部は前記ボイスコイルボビンと前記振動板との間において接着要素にて結合されていることを特徴とする請求項１乃至３のいずれか一項に記載のスピーカー装置。
【請求項５】
前記補助キャップは前記キャップと接触する接触面を有すると共に、前記接触面の略中心には開口を有しており、
前記キャップは、前記開口に対応する位置に且つ前記補助キャップと対向する側に突出する突起部を有しており、
前記キャップの前記突起部は前記補助キャップの前記開口に挿入されていることを特徴とする請求項４に記載のスピーカー装置。
【請求項６】
エッジ及びフレームを有し、
前記振動板の外周部には前記エッジの内周部が取り付けられていると共に、当該エッジの外周部は前記フレームに取り付けられていることを特徴とする請求項１乃至５のいずれか一項に記載のスピーカー装置。
【請求項７】
前記補助キャップは通気手段を有していることを特徴とする請求項４又は５に記載のスピーカー装置。
【請求項８】
前記補助キャップは、当該補助キャップと前記振動板と前記キャップとの間に存在する空間と接触する位置に開口を有していることを特徴とする請求項７に記載のスピーカー装置。
【請求項９】
前記補助キャップは、前記接触面と前記外周部との間に開口を有していることを特徴とする請求項５に記載のスピーカー装置。
【請求項１０】
前記補助キャップと前記振動板と前記キャップとの間に存在する空間に接触する当該補助キャップの部分、当該部分の一部分又は当該補助キャップの全体は、通気性を有する部材にて形成されていることを特徴とする請求項７に記載のスピーカー装置。
【請求項１１】
前記振動板は、前記補助キャップと前記振動板と前記キャップとの間に存在する空間に接触する位置に開口を有していることを特徴とする請求項７に記載のスピーカー装置。
【請求項１２】
前記フレームは、当該フレームと前記振動板と前記エッジとの間に存在する空間と接触する位置に開口を有していることを特徴とする請求項６に記載のスピーカー装置。
【発明の詳細な説明】
【技術分野】
【０００１】
本発明は、スピーカー装置におけるキャップと振動板の取り付け構造等に関する。
【背景技術】
【０００２】
従来より、ボイスコイルボビン、振動板及び防塵機能を有するキャップを含む振動系と、ヨーク、マグネット及びプレートを有する磁気回路系とを備える外磁型のスピーカー装置が知られている。そのようなスピーカー装置において、例えば、キャップの外周縁部の一部分（取り付け面）は、接着剤を介して振動板の外周縁部近傍に取り付けられており、そのキャップはボイスコイルボビンの上面を覆う位置に配置されている。
【０００３】
なお、上側振動板及び下側振動板等を有する振動板の外周縁部が内側エッジに取り付けられてなるスピーカー装置が知られている（例えば、特許文献１及び２を参照）。また、防塵キャップの外周縁部が粘着テープを介して振動板の外周縁部側に取り付けられてなるスピーカー装置が知られている（例えば、特許文献３を参照）。さらに、ポールピースに開口が形成されてなるスピーカー装置が知られている（例えば、特許文献４を参照）。
【０００４】
【特許文献１】米国特許第６，４９６，５９０号
【特許文献２】米国特許第６，５０１，８４４号
【特許文献３】米国特許第６，６３９，９９３号
【特許文献４】米国特許第５，７３４，７３４号
【発明の開示】
【発明が解決しようとする課題】
【０００５】
しかしながら、上記のスピーカー装置では、振動板に対するキャップの取り付け面（接着面）が当該キャップの外周縁部側に位置しており、キャップと振動板との接着面積は少ない。このため、スピーカー装置の駆動時にキャップの振動する領域（面積）は大きく、その振動に起因してキャップから異常音（鳴き）が生じてしまうという問題があった。このような不具合を回避する方法として、例えばキャップの厚さを厚くすることによりキャップを振動し難くし、これにより異常音（鳴き）の発生を防止する方法がある。しかし、このような方法を採用すると、キャップの厚さを厚くした分だけその重量が重くなり、スピーカー装置の感度が低下してしまうという新たな問題が生じる。
【０００６】
本発明が解決しようとする課題としては、上記のようなものが例として挙げられる。本発明は、キャップの異常音（鳴き）の発生を防止することが可能な、キャップと振動板の取り付け構造等を有するスピーカー装置を提供することを課題とする。
【課題を解決するための手段】
【０００７】
請求項１に記載の発明は、スピーカー装置であって、ボイスコイルボビンと、前記ボイスコイルボビンに取り付けられた振動板と、前記振動板の前方に且つ前記ボイスコイルボビンを覆う位置に配置されたキャップと、を備え、前記振動板は、外周部近傍に第１固定部を有すると共に、中央部近傍に第２固定部を有しており、前記キャップの外周部は前記振動板の外周部又は前記第１固定部に結合されていると共に、前記第２固定部に対向する前記キャップの部分は当該第２固定部に結合されていることを特徴とする。
【発明を実施するための最良の形態】
【０００８】
本発明の１つの実施形態では、スピーカー装置は、ボイスコイルボビンと、前記ボイスコイルボビンに取り付けられた振動板と、前記振動板の前方に且つ前記ボイスコイルボビンを覆う位置に配置されたキャップと、を備え、前記振動板は、外周部近傍に第１固定部を有すると共に、中央部近傍に第２固定部を有しており、前記キャップの外周部は、前記振動板の外周部又は前記第１固定部に結合されていると共に、前記第２固定部に対向する前記キャップの部分は、当該第２固定部に結合されている。
【０００９】
上記のスピーカー装置は、ボイスコイルボビンと、そのボイスコイルボビンに取り付けられ、例えばコーン形状を有する振動板と、その振動板の前方、即ち放音側に、かつ、ボイスコイルボビンを覆う位置に配置され、例えば防塵機能を有するキャップとを備えて構成される。
【００１０】
このスピーカー装置において、振動板の外周部近傍には第１固定部を有している。また、振動板の中央部近傍には第２固定部を有している。そして、キャップの外周部は、例えば接着要素を介して振動板の外周部又は第１固定部に結合（固定）されている。また、第２固定部に対向するキャップの部分は、例えば接着要素を介して当該第２固定部に結合されている。即ち、キャップは、その略中央部を境に第２固定部より内側の部分と外側の部分とに分割された状態で振動板に結合されている。
【００１１】
このため、ボイスコイルボビンがスピーカー装置の軸方向に駆動すると、それに伴って振動板及びキャップもその軸方向に振動することになる。ここで、キャップの振動する領域（面積）は、第２固定部より内側の部分となり、第２固定部より外側の部分は殆ど振動しない。この理由は、主として、第２固定部より外側の部分は、第２固定部より内側の部分に比べて振動板の支持力が大きく振動し難いからである。このため、このスピーカー装置では、その駆動時、キャップの振動する領域（面積）が小さく、キャップから異常音（鳴き）が生じるのを防止できる。加えて、上記のようにキャップと振動板とは第１固定部及び第２固定部の２カ所で結合されるので、キャップと振動板とをそれらの外周縁部のみで固定する場合と比較して、それらの要素間の結合面積が増えている。そのため、振動板及びキャップの厚さを厚くすることなく異常音の発生を防止することができるとともに、振動板の強度向上及び振動板とキャップの結合力の向上を図ることができる。よって、振動板及びキャップの重量を軽くすることができ、スピーカー装置の感度の向上を図ることができる。
【００１２】
好適な例では、前記第１固定部は前記キャップと対向する側に突起部を有すると共に、前記キャップの前記外周部は前記振動板と対向する側に鉤状の爪部を有し、前記爪部と前記突起部とを接触した状態で結合させることができる。また、前記第２固定部は前記キャップ側に複数の凹部を有し、前記第２固定部に対向する前記キャップの部分には複数の凸部が形成されており、前記複数の凸部を、対応する前記複数の凹部に挿入した状態で、前記複数の凸部と前記複数の凹部とを結合させることができる。さらに、好適な例では、このスピーカー装置はエッジ及びフレームを更に有し、前記振動板の外周部に前記エッジの内周部を取り付けることができると共に、当該エッジの外周部を前記フレームに取り付けることができる。
【００１３】
上記のスピーカー装置の他の態様では、前記ボイスコイルボビンと前記キャップとの間には補助キャップが設けられており、当該補助キャップは前記キャップに結合されていると共に、当該補助キャップの外周部は前記ボイスコイルボビンと前記振動板との間において接着要素にて結合されている。
【００１４】
この態様によれば、ボイスコイルボビンとキャップとの間には、例えばカップ形状をなす補助キャップが設けられる。この補助キャップはキャップに結合される。そして、補助キャップの外周部は、ボイスコイルボビンと振動板との間において接着要素にて結合される。これにより、キャップと振動板の更なる結合力の向上を図ることができる。
【００１５】
好適な例では、前記補助キャップは前記キャップと接触する接触面を有すると共に、前記接触面の略中心には開口を有しており、前記キャップは、前記開口に対応する位置に且つ前記補助キャップと対向する側に突出する突起部を有しており、前記キャップの前記突起部は前記補助キャップの前記開口に挿入されている。これにより、補助キャップをキャップの適正な位置に取り付けることができる。
【００１６】
上記のスピーカー装置の他の態様では、前記補助キャップは通気手段を有している。
【００１７】
ここで、補助キャップに通気手段が設けられていないスピーカー装置では、ボイスコイルボビン等が放音側と逆側に移動するのに伴い、補助キャップとボイスコイルボビンと磁気回路との間に存在する空間は圧縮され、その空間の圧力は高くなる。これにより、ボイスコイルボビン等は、その方向に移動し難くなる、換言すれば、ボイスコイルボビン等の移動時における機械的な抵抗が増加する。
【００１８】
この点、上記のスピーカー装置では、補助キャップに通気手段を設けているので、ボイスコイルボビン等が放音側と逆側に移動した場合であっても、その空間は圧縮されず、その空間の圧力が高くならない。よって、ボイスコイルボビン等が放音側と逆側に移動し易くなり、ボイスコイルボビン等の移動時における機械的な抵抗を低減することができる。これにより、音質が低下するのを防止することができる。
【００１９】
好適な例では、前記補助キャップは、当該補助キャップと前記振動板と前記キャップとの間に存在する空間と接触する位置に、通気手段としての開口を有している。また、前記補助キャップは、前記接触面と前記外周部との間に、通気手段としての開口を有している。
【００２０】
また、補助キャップに通気手段が設けられていないスピーカー装置では、ボイスコイルボビン等が放音側と逆側に移動するのに伴い、補助キャップとボイスコイルボビンと磁気回路との間に存在する空間の圧力は高くなるので、スピーカー装置の振動系の要素の強度（結合力）を強くする必要がある。この点、上記のスピーカー装置では、通気性が確保されているので、その空間の圧力は高くならない。よって、振動系の要素の強度（結合力）を積極的に強くする必要はない。つまり、上記のスピーカー装置では、通気手段を設けているので、通気手段が設けられていないものと比べて、スピーカー装置の駆動時に振動系の各要素間の強度（結合力）は高くなる（補強効果）。また、これにより、適度な柔らかさで振動系を動作させることができる。その結果、振動系を的確に制御することができ、スピーカー装置を容易に静止状態にする、即ち制振効果を向上させることができる。
【００２１】
上記のスピーカー装置の他の態様では、前記補助キャップと前記振動板と前記キャップとの間に存在する空間に接触する当該補助キャップの部分、当該部分の一部分又は当該補助キャップの全体は、通気性を有する部材、例えば網目が大きく形成された布などの材料にて形成されている。これにより、通気手段として補助キャップに開口を設けた場合と同様の効果を得ることができ、ボイスコイルボビン等の移動時における機械的な抵抗を低減することができる。よって、音質が低下するのを防止することができる。
【００２２】
上記のスピーカー装置の他の態様では、前記振動板は、前記補助キャップと前記振動板と前記キャップとの間に存在する空間に接触する位置に開口を有している。これにより、補助キャップと振動板とキャップとの間に存在する空間は、当該開口を通じて、振動板とエッジとフレームとの間に存在する空間につながる。また、上記のスピーカー装置の他の態様では、前記フレームは、当該フレームと前記振動板と前記エッジとの間に存在する空間と接触する位置に開口を有している。これにより、フレームと振動板とエッジとの間に存在する空間は、当該開口を通じて、スピーカー装置の外部空間とつながる。よって、これらの態様によれば、より一層、補助キャップとボイスコイルボビンと磁気回路との間に存在する空間の圧力が高くなるのを防止でき、ボイスコイルボビン等の移動時における機械的な抵抗を低減することができる。よって、より一層、音質が低下するのを防止することができる。
【実施例】
【００２３】
以下、図面を参照して本発明の好適な各種の実施例について説明する。
【００２４】
[第１実施例]
第１実施例は、キャップと振動板を所定の位置で結合することにより、スピーカー装置の駆動時にキャップから異常音（鳴き）が生じるのを防止する。
【００２５】
（スピーカー装置の構成）
図１に、本発明の第１実施例に係るスピーカー装置１００の概略構成を模式的に示す。なお、第１実施例のスピーカー装置１００は、いわゆるサブウーファー型のスピーカー装置である。このため、このスピーカー装置１００は車載用スピーカーとして好適に用いることができる。図１は、スピーカー装置１００の中心軸を通る平面で切断したときの断面図を示している。以下、図１乃至図４を参照して、第１実施例のスピーカー装置１００の構成等について説明する。
【００２６】
スピーカー装置１００は、図１に示すように、主として、ヨーク１、マグネット２及びプレート３を有する磁気回路系２０と、フレーム４、ダンパー６、ボイスコイルボビン７、ボイスコイル８、振動板９、エッジ１３、補助キャップ１１及びキャップ１２を有する振動系３０と、その他各種の部材として複数の端子部材５及び取り付け部材１８と、を備えている。
【００２７】
まず、磁気回路系２０の各構成要素について説明する。
【００２８】
磁気回路系２０は、外磁型の磁気回路として構成されている。ヨーク１は、円筒状の形状をなすポール部１ａ及びその外周壁から外側に延び出るフランジ部１ｂを有している。環状のマグネット２は、環状の形状をなし、ヨーク１の要素となるフランジ部１ｂの上面に固着している。環状のプレート３は、環状の形状をなし、環状のマグネット２上に固着している。磁気回路系２０では、マグネット２及びプレート３により磁気回路を構成し、プレート３の内周壁とポール部１ａの外周壁との間に形成される磁気ギャップ１６にマグネット２の磁束を集中させている。
【００２９】
次に、振動系３０の各構成要素について説明する。
【００３０】
フレーム４にはスピーカー装置１００の様々な構成要素が固定され、フレーム４はそれらの構成要素を支持する役目を担う。フレーム４は、第１平坦部４ａ、第２平坦部４ｂ及び第３平坦部４ｃ等を有しており、それらの上面には平坦性が確保されている。第１平坦部４ａは、フレーム４の下側の位置に形成されている。第１平坦部４ａの下面は、環状のマグネット３上に固着している。第２平坦部４ｂは、フレーム４の略中央の位置に形成されている。第２平坦部４ｂの上面には、ダンパー６の外周縁部が取り付けられる。第３平坦部４ｃは、フレーム４の上側の位置に形成されている。第３平坦部４ｃの上面には、後述する取り付け部材１８の外周縁部が取り付けられる。
【００３１】
ボイスコイルボビン７は、略円筒状の形状をなしている。ボイスコイルボビン７の外周壁の下端部近傍には、後述するボイスコイル８が巻かれている。また、ボイスコイルボビン７の外周壁の下端部近傍は、環状のマグネット２及びプレート３の各内周壁と一定の間隔を隔てて対向している。一方、ボイスコイルボビン７の内周壁の下端部近傍は、ヨーク１の要素となるポール部１ａの外周壁と一定の間隔を隔てて対向している。そして、ポール部１ａの外周壁と、プレート３の内周壁との間に空隙（磁気ギャップ１６）が形成されている。
【００３２】
ボイスコイル８は、１組のプラス/マイナスのリード線（図示略）を有している。プラス側のリード線はＬ（又はＲ）チャンネル信号の入力配線であり、マイナス側のリード線はグランド（ＧＮＤ：接地）信号の入力配線である。各リード線は、各錦糸線（図示略）を介して、フレーム４の第２平坦部４ｂ上に位置する各端子部材５の一端側に電気的に接続されている。一方、各端子部材５の他端側は、アンプ側の各入力配線に電気的に接続されている。このため、ボイスコイル８には、各端子部材５及び各錦糸線（図示略）及び各リード線等を介して、アンプ側から１チャンネル分の電気信号が入力される。
【００３３】
ダンパー６は、環状の形状をなし、同心円状に波型が形成された弾性部を有している。ダンパー６の外周縁部は、フレーム４の第２平坦部４ｂ上に固着している一方、ダンパー６の内周縁部は、ボイスコイルボビン７の外周壁に固着している。
【００３４】
振動板９には、各種の用途に応じ、紙系、高分子系、金属系などの各種の材料を適用することができる。図２に振動板９等の構成を示す。図２（ａ）は、図１における矢印Ｙ１と逆方向から観察したときの振動板９等の平面図（即ち紙面下方より見た振動板９の裏側の平面図）を示す。図２（ｂ）は、図２（ａ）における中心点Ｏを通る切断線Ａ−Ａ’に沿った振動板９等の断面図を示す。図２に示すように、振動板９は、いわゆるコーン状の形状をなし、第１平坦部９ａ、第２平坦部９ｂ及び第３平坦部９ｃ等を有しており、それらの上面には平坦性が確保されている。第１平坦部９ａは、振動板９の上面（前方）の略中央の位置に形成されている。第１平坦部９ａ上には、その周方向に沿って且つ適宜の間隔をおいて、半月形状に類似した形状をなす複数の凹部９ａｂが形成されている。第２平坦部９ｂは、振動板９の上面の外周縁部近傍、即ち第３平坦部９ｃ近傍の位置に形成されている。第２平坦部９ｂ上には、その周方向に沿って突起部９ｂａが形成されている。第３平坦部９ｃは、振動板９の上面の外周縁部に形成されている。第３平坦部９ｃ上には、略環状の形状をなす取り付け部材１８の内周縁部が取り付けられている。この取り付け部材１８は、振動板９等をフレーム４に安定的に取り付ける役割を担う。取り付け部材１８の内周縁部の上面には、断面視した状態で略半円形状をなすエッジ１３の内周縁部が取り付けられている。一方、取り付け部材１８の外周縁部近傍には、エッジ１３の外周縁部が取り付けられている。そして、エッジ１３及び取り付け部材１８が取り付けられてなる振動板９の内周縁部は、図１に示すように、接着剤１０を介してボイスコイルボビン７の外周壁の上端部近傍に取り付けられている。また、振動板９の内周縁部は、接着剤１０を介してダンパー６の内周縁部にも固定されている。取り付け部材１８の外周縁部の下面は、図１に示すように、フレーム４の第３平坦部４ｃ上に固着している。
【００３５】
補助キャップ１１は、キャップ１２の下面側に、且つ、ボイスコイルボビン７の上面を閉塞する位置に取り付けられる。図３に、補助キャップ１１の構成を示す。図３（ａ）は、補助キャップ１１の斜視図を示す。図３（ｂ）は、図３（ａ）における補助キャップ１１の中心軸を通る平面で切断したときの断面図を示す。図３に示すように、補助キャップ１１は、略カップ状の形状をなし、上面１１ａ及び外周縁部１１ｂ等を有している。上面１１ａの略中心には、開口１１ａｂが形成されている。かかる構成を有する補助キャップ１１の開口１１ａｂには、図１に示すように、後述するキャップ１２の突起部１２ａが挿入されており、その補助キャップ１１は、キャップ１２の下面側に取り付けられている。また、補助キャップ１１は、ボイスコイルボビン７の上面を塞ぐ位置に配置されており、その補助キャップ１１の外周縁部の一部は、接着剤１０を介してボイスコイルボビン７の外周壁の上端部近傍に固定されている。
【００３６】
キャップ１２は、振動板９等の上面を覆うように、その振動板９に取り付けられている。これにより、粉塵や異物などがスピーカー装置１００内部へ侵入するのを防止する機能を有している。図４に、キャップ１２の構成を示す。図４（ａ）は、図１における矢印Ｙ１と逆方向から観察したときのキャップ１１の平面図（即ち紙面下方より見たキャップ１２の裏側の平面図）を示す。図４（ｂ）は、図４（ａ）における中心点Ｏを通る切断線Ｂ−Ｂ’に沿ったキャップ１１の断面図を示す。図４に示すように、キャップ１２は、略円板状の平面形状をなし、突起部１２ａ、複数の凹部１２ｂ、複数の凸部１２ｃ（リブ）、及び爪部１２ｄを有している。突起部１２ａは、キャップ１２の下面側の略中央の位置から突出してなる。この突起部１２ａは、補助キャップ１１の開口１１ａｂに挿入される。これにより、突起部１２ａは、キャップ１２の適正な位置に補助キャップ１１を位置決めする等の役割を有する。複数の凹部１２ｂは、キャップ１２の下面の外周縁部付近の周方向に沿って且つ適宜の間隔をおいて形成されている。各凸部１２ｃは、略半月状の形状をなし、対応する各凹部１２ｂの下面側から突出してなる。爪部１２ｄは、鉤状の形状をなし、キャップ１２の下面の外周縁部に且つその周方向に沿って形成されている。なお、キャップ１２の振動板９等に対する取り付け構造については後述する。
【００３７】
以上に述べたスピーカー装置１００において、アンプ側から出力された電気信号は、各端子部５、各錦糸線（図示略）及び各リード線を介してボイスコイル８へ出力される。これにより、磁気ギャップ１６内でボイスコイル８に駆動力が発生し、振動板９をスピーカー装置１００の軸方向に振動させる。こうして、スピーカー装置１００は、矢印Ｙ１方向に音波を放射する。
【００３８】
（キャップと振動板の取り付け構造）
次に、図５を参照して、本発明の特徴をなすキャップと振動板の取り付け構造について説明する。図５は、図１における破線領域Ｅ１０の部分を拡大した断面図であり、特にキャップ１２と振動板９の取り付け構造等を説明する断面図である。なお、以下では、本発明の特徴をなす要素を中心に説明する。
【００３９】
振動板９の内周縁部は、接着剤１０を介してボイスコイルボビン７の外周壁の上端部近傍に取り付けられている。補助キャップ１１の開口１１ａｂには、キャップ１２の突起部１２ａが挿入されており、補助キャップ１１の上面１１ａは、対応するキャップ１２の下面の一部に接触している。これにより、補助キャップ１１は、キャップ１２の適正位置に取り付けられている。
【００４０】
キャップ１２の爪部１２ｄの内周壁は振動板９の突起部９ｂａの外周壁に接触しており、その爪部１２ｄは、接着剤（図示略）を介して、突起部９ｂａ及び第３平坦部９ｃ（以下、「第１固定部」とも称する）に固定されている。キャップ１２の各凸部１２ｃは、対応する振動板９の各凹部９ａｂ内に挿入されており、その各凸部１２ｃは、接着剤１０を介して、その凹部９ａｂ内（以下、「第２固定部」とも称する）に固定されている。こうして、キャップ１２は振動板９に取り付けられている。補助キャップ１１の外周縁部１１ｂは、ボイスコイルボビン７の上端近傍の位置に配置された状態で接着剤１０（以下、「第３固定部」とも称する）に固定されている。
【００４１】
次に、比較例と比較した本発明の特有の作用効果について説明する。図６に、比較例に係るスピーカー装置の部分断面図を示す。なお、以下において、本発明と同一の要素については同一の符号を付し、その説明は簡略化する。
【００４２】
まず、比較例に係るスピーカー装置の主要な要素について説明する。図６に示すように、ダンパー６の内周縁部は、接着剤１０を介してボイスコイルボビン７の外周壁に取り付けられている一方、ダンパー６の外周縁部は、フレーム４の第２平坦部４ｂ上に取り付けられている。振動板９の内周縁部は、接着剤１０を介してボイルコイルボビン７の外周壁の上端部近傍に取り付けられている。振動板９の内周縁部とダンパー６の内周縁部は、互いに接着剤１０によって接着されている。キャップ２０は、略円板状の平面形状をなし、本発明のキャップ１２と略同一の大きさ（面積）を有している。キャップ２０の外周縁部は、図示しない接着剤１０を介して振動板９の外周縁部近傍（破線領域Ｅ５に相当する領域）に取り付けられている。取り付け部材１８の内周縁部は、振動板９の第３平坦部９ｃ上に取り付けられている一方、取り付け部材１８の外周縁部は、フレーム４の第３平坦部４ｃ上に取り付けられている。エッジ１３の内周縁部は、取り付け部材１８の内周縁部に取り付けられている一方、エッジ１３の外周縁部は、取り付け部材１８の外周縁部に取り付けられている。このため、エッジ１３の内周縁部は、取り付け部材１８を介して振動板９の第３平坦部９ｃに対向していると共に、エッジ１３の外周縁部は、取り付け部材１８を介してフレーム４の第３平坦部４ｃに対向している。
【００４３】
次に、図１、図５及び図６を参照して、比較例と比較した本発明の特有の作用効果について説明する。
【００４４】
比較例において、キャップ２０は、接着剤（図示略）を介して、破線領域Ｅ５に対応する振動板９の一部分に固定されている。ここで、ボイスコイルボビン７が矢印Ｙ２方向に駆動すると、それに伴ってキャップ２０も矢印Ｙ３方向に振動する。このとき、キャップ２０の振動する領域（面積）は、その接着された領域を除いた領域Ｅ２となる。ここで、領域Ｅ２は直径Ｄ２を有するキャップ２０の部分の面積に略対応している。このように、比較例では、キャップ２０と振動板９の接着面積が少なく、キャップ２０の全体の領域（キャップ２０の全面積に相当）に対して振動する領域Ｅ２が大きいので、その振動に起因して、キャップ２０からは異常音（鳴き）が生じる。また、キャップ２０と振動板９の接着面積が少ないので、それらの結合力も小さい。
【００４５】
一方、本発明において、キャップ１２は、図１及び図５に示すように、接着剤１０を介して、そのキャップ１２の略中央の位置に対応する第２固定部、及びそのキャップ１２の外周縁部近傍の第１固定部にて固定されている。即ち、キャップ１２は、その略中央の位置を境に領域Ｅ１に対応する部分と領域Ｅ３に対応する部分とに分割された状態で振動板９に固定されている。ここで、図１に示すように、ボイスコイルボビン７が矢印Ｙ２方向に駆動すると、それに伴ってキャップ１２も矢印Ｙ３方向に振動する。
【００４６】
このとき、キャップ１２の振動する領域（面積）は、第２固定部より内側の領域、即ち領域Ｅ１（＜Ｅ２）となり、第２固定部より外側の領域Ｅ３は殆ど振動しない。この理由は、主として、第２固定部より外側の領域Ｅ３は、第２固定部より内側の領域Ｅ１に比べて振動板９の支持力が大きく振動し難いからである。このため、このスピーカー装置１００では、その駆動時、キャップ１２の振動する領域（面積）が小さく、キャップ１２から異常音（鳴き）が生じるのを防止できる。また、上記のようにキャップ１２と振動板９とは第１固定部及び第２固定部で結合されるので、上記したように、それらの要素間の結合面積が増えている。そのため、振動板９及びキャップ１２の厚さを厚くすることなくキャップ１２からの異常音の発生を防止するとともに、振動板９の強度向上及び振動板９とキャップ１２の結合力の向上を図ることができる。よって、振動板９及びキャップ１２の重量を軽くすることができ、スピーカー装置１００の感度の向上を図ることができる。
【００４７】
加えて、本発明では、補助キャップ１１を更に設けて、その外周縁部を第３固定部に固定するようにしているので、キャップ１２と振動板９の更なる結合力の向上を図ることができる。
【００４８】
[第２実施例]
第２実施例は、上記したスピーカー装置１００の要素、例えば補助キャップ１１等に通気手段を設けることにより、振動系３０の移動時における機械的な抵抗を低減する。これにより、音質が低下するのを防止する。
【００４９】
まず、図１を参照して、第２実施例の概要を説明する。
【００５０】
図１のスピーカー装置１００において、振動板９とエッジ１３とフレーム４とダンパー６との間の空間Ｓ１、及び、振動板９とキャップ１２と補助キャップ１１との間の空間Ｓ２は夫々閉じられている。また、略円筒状の形状をなすボイスコイルボビン７と補助キャップ１１とポール部１ａとの間の空間Ｓ３は、磁気ギャップ１６を介して、マグネット２及びプレート３とヨーク１との間の空間Ｓ４につながっている。
【００５１】
かかる構成を有するスピーカー装置１００において、ボイスコイルボビン７等が矢印Ｙ１方向に移動したと仮定した場合、それに伴って補助キャップ１１等はポール部１ａから離隔する方向に移動することになる。このため、空間Ｓ４内に存在する空気の一部は、磁気ギャップ１６を通じて空間Ｓ３内に流入し、その空間Ｓ３の体積は次第に大きくなる。これにより、空間Ｓ３内の圧力は低くなる。一方、スピーカー装置１００において、ボイスコイルボビン７等が矢印Ｙ１方向と逆方向に移動したと仮定した場合、それに伴って補助キャップ１１等はポール部１ａの上面に近づく方向に移動することになる。このため、空間Ｓ３内に存在する空気の一部は、磁気ギャップ１６を通じて空間Ｓ４内に排出され、その空間Ｓ３の体積は次第に小さくなる。即ち、この場合、空間Ｓ３は圧縮され、当該空間Ｓ３内の圧力は高くなる。
【００５２】
このように、上記のスピーカー装置１００では、ボイスコイルボビン７等が矢印Ｙ２方向に移動するのに伴って、空間Ｓ３の体積が大きくなったり、或いはその逆に小さくなったりする。特に、ボイスコイルボビン７等が矢印Ｙ１方向と逆方向に移動した場合には、空間Ｓ３内の圧力が高くなるので、ボイスコイルボビン７等は矢印Ｙ１方向と逆方向に移動し難くなる。つまり、この場合、ボイスコイルボビン７等の移動時における機械的な抵抗が増加することになる。よって、ボイスコイルボビン７等の移動時における機械的な抵抗の大きさの程度如何によっては、振動板９等を適切に振動させることが困難となり音質が低下する虞がある。
【００５３】
そのため、このような不具合の発生を回避するために、何らかの方法により、ボイスコイルボビン７等の移動時における機械的な抵抗を低減する必要がある。
【００５４】
そこで、かかる目的を達成するためには、補助キャップ１１に通気手段を設け、少なくとも空間Ｓ２と空間Ｓ３との間において空気が自由に流動できるようにする。このような構成を採用することにより、図１において、ボイスコイルボビン７等が矢印Ｙ１方向と逆方向に移動したと仮定した場合、上記のように空間Ｓ３に存在する空気の一部は空間Ｓ４内に排出されるが、このとき同時に空間Ｓ２に存在する空気の一部は、補助キャップ１１に設けられた通気手段を通じて空間Ｓ３内に流入することになる。よって、この場合、補助キャップ１１に通気手段を設けないものと比べて、空間Ｓ３内の圧力を低くすることができ、ボイスコイルボビン７等は矢印Ｙ１方向と逆方向に移動し易くなる。つまり、この場合、ボイスコイルボビン７等の移動時おける機械的な抵抗を低減することができる。
【００５５】
上記した検討結果を踏まえ、その具体的な手段として、第２実施例では、補助キャップ１１の所定位置に通気手段、具体的には複数の開口を設ける。また、第２実施例では、より一層、ボイスコイルボビン７等の移動時における機械的な抵抗を低減すべく、振動板９及びフレーム４に対しても通気手段として機能する複数の開口を設ける。
【００５６】
図８に、通気手段として機能する複数の開口が設けられた補助キャップ１１の構成を示す。図８（ａ）は、複数の開口が設けられた補助キャップ１１の斜視図を示していると共に、図８（ｂ）は、図８（ａ）における補助キャップ１１の中心軸を通る平面で切断したときの断面図を示している。なお、図８に示される補助キャップ１１は、複数の開口が設けられている点を除けば、図３に示される補助キャップ１１と同様の構成となっている。また、図９に、通気手段として機能する複数の開口が設けられた振動板９の構成を示す。図９（ａ）は、複数の開口が設けられた振動板９の平面図を示していると共に、図９（ｂ）は、図９（ａ）における中心Ｏを通る切断線Ａ−Ａ’に沿った断面図を示している。なお、図９に示される振動板９は、複数の開口が設けられている点を除けば、図２に示される振動板９と同様の構成となっている。また、図１０に、通気手段として機能する複数の開口が設けられたフレーム４を示す。図１０は、図５に略対応する断面図であり、図１０では、説明の便宜上、ポール部１ａも図示することにしている。なお、図１０では、図示の関係上、１つの開口だけ示されている。
【００５７】
先ず、補助キャップ１１は、図８に示すように、上面１１ａと外周縁部１１ｂの間に側壁１１ｃを有している。なお、上面１１ａと外周縁部１１ｂと側壁１１ｃは一体的に形成されている。側壁１１ｃには、その周方向に沿って且つ適宜の間隔をおいて複数の開口１１ｃａが形成されている。この複数の開口１１ｃａは、上記した通気手段として機能する。
【００５８】
次に、振動板９は、図９に示すように、第１平坦部９ａと内周縁部との間に側壁９ｄを有している。側壁９ｄには、その周方向に沿って且つ適宜の間隔をおいて複数の開口９ｄａが形成されている。次に、フレーム４は、図１０に示すように、複数の開口４ｄａを有している。複数の開口４ｄａは、第２平坦部４ｂと第３平坦部４ｃの間に位置する側壁４ｄに形成されている。また、複数の開口４ｄａは、側壁４ｄの周方向に沿って且つ適宜の間隔をおいて形成されている。
【００５９】
以上に述べた通気手段を有する補助キャップ１１、振動板９及びフレーム４が、スピーカー装置１００に取り付けられた状態が図１０に示されている。
【００６０】
図１０において、補助キャップ１１の複数の開口１１ｃａは、振動板９と補助キャップ１１の側壁１１ｃとキャップ１２との間に存在する空間Ｓ２、及び、補助キャップ１１とボイスコイルボビン７の内周壁とポール部１ａとの間に存在する空間Ｓ３に夫々接しており、空間Ｓ２と空間Ｓ３は複数の開口１１ｃａを通じてつながっている。また、振動板９の複数の開口９ｄａは、空間Ｓ２、及び、振動板９とエッジ１３とフレーム４の側壁４ｄとダンパー６との間に存在する空間Ｓ１に夫々接しており、空間Ｓ２と空間Ｓ１は複数の開口９ｄａを通じてつながっている。さらに、フレーム４の複数の開口４ｄａは、空間Ｓ１、及び、スピーカー装置１００の外部空間と夫々接しており、空間Ｓ１と外部空間は複数の開口４ｄａを通じてつながっている。このため、第２実施例では、上記した各開口を通じて、図示しない空間Ｓ４（図１を参照）と空間Ｓ３と空間Ｓ２と空間Ｓ１と外部空間とはつながっている。
【００６１】
以上の構成を有する第２実施例では、スピーカー装置１００の駆動時に、ボイスコイルボビン７等は矢印Ｙ１方向及び矢印Ｙ１方向と逆方向の矢印Ｙ５方向に移動する。
【００６２】
ここで、ボイスコイルボビン７等が矢印Ｙ１方向に移動したと仮定した場合、図１及び図１０を参照して理解されるように、空間Ｓ４に存在する空気の一部は空間Ｓ３内に流入すると共に、その流入した分だけ、空間Ｓ３に存在する空気の一部は、矢印Ｙ７方向に示すように、補助キャップ１１の複数の開口１１ｃａを通じて空間Ｓ２へ排出される。また、これに伴い、空間Ｓ２に流入した分だけ、空間Ｓ２に存在する空気の一部は、矢印Ｙ７方向に示すように、振動板９の複数の開口９ｄａを通じて空間Ｓ１へと排出され、さらに空間Ｓ１に流入した分だけ、空間Ｓ１に存在する空気の一部は、矢印Ｙ７方向に示すように、フレーム４の複数の開口４ｄａを通じて外部空間へと排出される。
【００６３】
一方、ボイスコイルボビン７等が矢印Ｙ５方向に移動したと仮定した場合、図１及び図１０を参照して理解されるように、空間Ｓ３に存在する空気の一部は空間Ｓ４へと排出される。これに伴い、その空間Ｓ３から排出された分だけ、空間Ｓ２に存在する空気の一部が、矢印Ｙ８方向に示すように、補助キャップ１１の複数の開口１１ｃａを通じて空間Ｓ３内に流入する。また、これに連動して、その空間Ｓ２から排出された分だけ、空間Ｓ１に存在する空気の一部が、矢印Ｙ８方向に示すように、振動板９の複数の開口９ｄａを通じて空間Ｓ２内に流入すると共に、その空間Ｓ１から排出された分だけ、外部空間に存在する空気の一部が、フレーム４の複数の開口４ｄａを通じて空間Ｓ１に流入する。
【００６４】
上記したように、通気手段を設けていないスピーカー装置１００では、ボイスコイルボビン７等が矢印Ｙ１方向と逆方向の矢印Ｙ５方向に移動した場合、空間Ｓ３の圧力が高まり、ボイスコイルボビン７等が移動し難くなる、即ちボイスコイルボビン７等の移動時における機械的な抵抗が増加する。
【００６５】
この点、第２実施例では、補助キャップ１１、振動板９及びフレーム４に複数の開口を設けているので、通気性が良好になっている。したがって、第２実施例のスピーカー装置１００において、特に、ボイスコイルボビン７等が矢印Ｙ５方向に移動した場合であっても、上記した作用により、空間Ｓ３内の圧力が高くなるようなことはない。よって、この場合、ボイスコイルボビン７等が矢印Ｙ５方向に移動し易くなり、ボイスコイルボビン７等の移動時における機械的な抵抗を低減することができる。これにより、音質が低下するのを防止することができる。
【００６６】
また、スピーカー装置１００において、上記のように空間Ｓ３の圧力が高まると、振動系３０の各要素には、その圧力に応じた分の外力が作用することになる。したがって、この場合、振動系３０の各要素間の強度（結合力）を強くする必要がある。この点、第２実施例では、通気性が確保されているので、上記したように空間Ｓ３内の圧力は高くならない。したがって、振動系３０の各要素間の強度（結合力）を積極的に強くしなくてもよい。つまり、第２実施例では通気手段を設けているので、通気手段が設けられていないものと比べて、スピーカー装置１００の駆動時に振動系３０の各要素間の強度（結合力）が高くなる（補強効果）。また、これにより、適度な柔らかさで振動系３０を動作させることができる。その結果、振動系３０を的確に制御することができ、スピーカー装置１００を容易に静止状態にする、即ち制振効果を向上させることができる。
【００６７】
[変形例]
本発明では、キャップ１２と振動板９の外周縁部における取り付け構造（結合方法）は上記の構造に限定されず、他の各種の方法を採用することができる。図７に、その結合方法の一例を示す。図７は、図５における破線領域Ｅ１１に対応する部分断面図である。
【００６８】
図７に示すように、この例では、キャップ１２の外周縁部と振動板９との結合方法が上記の実施例と異なっている。即ち、この例では、図７の破線領域Ｅ１２に示されるように、振動板９の外周縁部近傍に第２平坦部９ｂ及び突起部９ｂａを設けておらず、その代わりに、破線領域Ｅ１２に対応する振動板９の部分と、キャップ１２の外周縁部とが接触するような構造にしている。そして、この例では、そのキャップ１２の外周縁部と、対応する位置の振動板９とを接着剤（図示略）で固定するようにしている。かかる構造によっても本発明の作用効果を得ることができる。
【００６９】
また、上記の第２実施例では、通気手段として、補助キャップ１１の側壁１１ｃに複数の開口１１ｃａを設けるようにした。これに限らず、本発明では、補助キャップ１１の側壁１１ｃの複数の開口１１ｃａに対応する部分、或いは、側壁１１ｃの全体、或いは補助キャップ１１の全体を、通気性を有する部材、例えば網目が大きく形成された布などの材料などにて構成しても構わない。これにより、通気性を有する部材が通気手段として機能するため、第２実施例と同様の作用効果を得ることができる。
【図面の簡単な説明】
【００７０】
【図１】本発明の第１実施例に係るスピーカー装置の断面図を示す。
【図２】第１実施例に係る振動板の平面図及び断面図を示す。
【図３】第１実施例に係る補助キャップの斜視図及び断面図を示す。
【図４】第１実施例に係るキャップの平面図及び断面図を示す。
【図５】第１実施例に係るキャップと振動板の取り付け構造を示す部分断面図である。
【図６】比較例に係るキャップと振動板の取り付け構造を示す部分断面図である。
【図７】変形例に係るキャップと振動板の取り付け構造の一例を示す部分断面図である。
【図８】本発明の第２実施例に係る補助キャップの斜視図及び断面図を示す。
【図９】第２実施例に係る振動板の平面図及び断面図を示す。
【図１０】第２実施例の通気手段の作用効果を説明するスピーカー装置の部分断面図である。
【符号の説明】
【００７１】
７  ボイスコイルボビン
９  振動板
９ｄａ、１１ｃａ、４ｄａ  開口  １１  補助キャップ
１２  キャップ
９ａｂ  凹部
９ｂａ、１２ａ  突起部
１２ｃ  凸部
１２ｄ  爪部
２０  磁気回路系
３０  振動系
Ｓ１、Ｓ２、Ｓ３、Ｓ４  空間
１００  スピーカー装置
【図１】
2006157840.tif 000003
【図２】
2006157840.tif 000004
【図３】
2006157840.tif 000005
【図４】
2006157840.tif 000006
【図５】
2006157840.tif 000007
【図６】
2006157840.tif 000008
【図７】
2006157840.tif 000009
【図８】
2006157840.tif 000010
【図９】
2006157840.tif 000011
【図１０】
2006157840.tif 000012